(57)【特許請求の範囲】
【請求項１】
本体ケースの吸込口から本体内部に吸い込んだ空気を除湿して本体ケースの吹出口から本体ケース外に吹き出す除湿機において、
前記本体ケースの前方側上部に前記吹出口を有する吹出口室を形成し、該吹出口室に吹出口から吹き出す除湿風の風向きを変更可能な風向き変更装置を配設し、
前記風向き変更装置は、
上下方向に相対向し、左右両側が連結板で一体に連結された上・下ルーバと、
各連結板の上部に横に設けられ、吹出口室の左右の側壁に上下方向に回動可能に軸支されたルーバ支持軸部と
該ルーバ支持軸部を回転させて上・下ルーバを上下方向に回動させる上下ルーバ駆動手段と、
前記下ルーバの端部と前記吹出口の前面側下縁との間に設けられ、前記吹出口室に入った除湿風を上・下ルーバに案内する可動送風ガイドとを備え、
前記可動送風ガイドは、前記下ルーバの端部に回動可能に連結された上送風ガイド板と、前記吹出口の前面側下縁に回動可能に連結された下送風ガイド板と、前記上送風ガイド板の自由端と前記下送風ガイド板の自由端とを回動自在に連結する連結軸とからなることを特徴とする除湿機。
【請求項２】
本体ケースの吸込口から本体内部に吸い込んだ空気を除湿して本体ケースの吹出口から本体ケース外に吹き出す除湿機において、
前記本体ケースの前方側上部に前記吹出口を有する吹出口室を形成し、該吹出口室に吹出口から吹き出す除湿風の風向きを変更可能な風向き変更装置を配設し、
前記風向き変更装置は、
上下方向に相対向し、左右両側が連結板で一体に連結された上・下ルーバと、
各連結板の上部に横に設けられ、吹出口室の左右の側壁に上下方向に回動可能に軸支されたルーバ支持軸部と、
該ルーバ支持軸部を回転させて上・下ルーバを上下方向に回動させる上下ルーバ駆動手段と、
前記下ルーバの端部と前記吹出口の前面側下縁との間に設けられ、前記吹出口室に入った除湿風を上・下ルーバに案内する可動送風ガイドとを備え、
前記可動送風ガイドは、前記下ルーバの端部に一端が回動可能に連結され、前記吹出口の前面側下縁に他端が回動可能に連結され、中間部分が薄肉として折り曲げ可能な適度の硬度を有した弾性部材で形成されていることを特徴とする除湿機。
【請求項３】
本体ケースの吸込口から本体内部に吸い込んだ空気を除湿して本体ケースの吹出口から本体ケース外に吹き出す除湿機において、
前記本体ケースの前方側上部に前記吹出口を有する吹出口室を形成し、該吹出口室に吹出口から吹き出す除湿風の風向きを変更可能な風向き変更装置を配設し、
前記風向き変更装置は、
上下方向に相対向し、左右両側が連結板で一体に連結された上・下ルーバと、
各連結板の横に設けられ、吹出口室の左右の側壁に上下方向に回動可能に軸支されたルーバ支持軸部と、
該ルーバ支持軸部を回転させて上・下ルーバを上下方向に回動させる上下ルーバ駆動手段と、
前記上ルーバの端部と前記吹出口の背面側上縁との間に設けられ、前記吹出口室に入った除湿風を上ルーバに案内する上可動送風ガイドと、
前記下ルーバの端部と前記吹出口の前面側下縁との間に設けられ、前記吹出口室に入った除湿風を下ルーバに案内する下可動送風ガイドとを備え、
前記上可動送風ガイドは、前記上ルーバの端部に回動可能に連結された上送風ガイド板と、前記吹出口の背面側上縁に回動可能に連結された下送風ガイド板と、前記上送風ガイド板の自由端と前記下送風ガイド板の自由端とを回動自在に連結する連結軸とからなり、
前記下可動送風ガイドは、前記下ルーバの端部に回動可能に連結された上送風ガイド板と、前記吹出口の前面側下縁に回動可能に連結された下送風ガイド板と、前記上送風ガイド板の自由端と前記下送風ガイド板の自由端とを回動自在に連結する連結軸とからなることを特徴とする除湿機。
【請求項４】
本体ケースの吸込口から本体内部に吸い込んだ空気を除湿して本体ケースの吹出口から本体ケース外に吹き出す除湿機において、
前記本体ケースの前方側上部に前記吹出口を有する吹出口室を形成し、該吹出口室に吹出口から吹き出す除湿風の風向きを変更可能な風向き変更装置を配設し、
前記風向き変更装置は、
上下方向に相対向し、左右両側が連結板で一体に連結された上・下ルーバと、
各連結板の横に設けられ、吹出口室の左右の側壁に上下方向に回動可能に軸支されたルーバ支持軸部と、
該ルーバ支持軸部を回転させて上・下ルーバを上下方向に回動させる上下ルーバ駆動手段と、
前記上ルーバの端部と前記吹出口の背面側上縁との間に設けられ、前記吹出口室に入った除湿風を上ルーバに案内する上可動送風ガイドと、
前記下ルーバの端部と前記吹出口の前面側下縁との間に設けられ、前記吹出口室に入った除湿風を下ルーバに案内する下可動送風ガイドとを備え、
前記上可動送風ガイドは、前記上ルーバの上部に一体に形成された円弧状の１つの送風ガイド板と、該１つの送風ガイド板の動きに合わせて拡がったり、重ね合わされたりするようにスライド自在に連動する複数の円弧状の送風ガイド板とからなることを特徴とする除湿機。
【請求項５】
前記下ルーバの端部に回動可能に連結された上送風ガイド板は、前記本体ケースの前面に向けて突出するように湾曲させられていることを特徴とする請求項１又は４記載の除湿機。
【請求項６】
前記上・下ルーバの間に、左右方向に間隔を置いて左右の回動方向が調節可能な左右フィンが複数設けられていることを特徴とする請求項１〜５のいずれか一項に記載の除湿機。
【発明の詳細な説明】
【技術分野】
【０００１】
本発明は除湿した空気を吹出口から吹き出す除湿機、特に吹出口から吹き出す空気の風向きを可変させる構成に関するものである。
【背景技術】
【０００２】
従来の空気調和装置は、本体ケースの吸気口から本体ケース内に吸い込んだ空気を除湿して本体ケースの吹出口から本体ケース外に吹き出す空気調和装置において、吹き出し口を本体ケースの上面から該上面に隣接する隣接面の上部にわたって形成すると共に、吹出口の周縁に、第１風向変更体と第２風向変更体を、互いに独立して揺動自在に設け、第１風向変更体と第２風向変更体とで、吹出口のほぼ全体を開閉可能としたものがある（例えば、特許文献１参照）。
【先行技術文献】
【特許文献】
【０００３】
【特許文献１】特開２００２−１９５６３８号公報（第１頁、図６）
【発明の概要】
【発明が解決しようとする課題】
【０００４】
上記特許文献１に記載の従来の空気調和機では、第１風向変更体と第２風向変更体とは互いに独立して揺動自在であり、第１風向変更体と第２風向変更体との間に隙間があっても、第１と第２の風向変更体が共に吹き出す方向が同じである場合は、送風漏れが生じることはないが、第１風向変更体と第２風向変更体とが吹き出す方向が異なる場合にはその隙間から目的の方向以外への送風の漏れが生じるという問題があった。
本発明はかかる問題を解決するためになされたもので、風向の変更角度を大きく変更しても漏れが少なく、目的の方向へ連続的に送風可能とし、被乾燥物をムラ無く短時間で乾燥することができ、省エネ化が図れる除湿機を得ることを目的とする。
【課題を解決するための手段】
【０００５】
本発明の除湿機は、本体ケースの吸込口から本体内部に吸い込んだ空気を除湿して本体ケースの吹出口から本体ケース外に吹き出す除湿機において、前記本体ケースの前方側上部に前記吹出口を有する吹出口室を形成し、該吹出口室に吹出口から吹き出す除湿風の風向きを変更可能な風向き変更装置を配設し、前記風向き変更装置は、上下方向に相対向し、左右両側が連結板で一体に連結された上・下ルーバと、各連結板の上部に横に設けられ、吹出口室の左右の側壁に上下方向に回動可能に軸支されたルーバ支持軸部と、該ルーバ支持軸部を回転させて上・下ルーバを上下方向に回動させる上下ルーバ駆動手段と、前記下ルーバの端部と前記吹出口の前面側下縁との間に設けられ、前記吹出口室に入った除湿風を上・下ルーバに案内する可動送風ガイドとを備え、前記可動送風ガイドは、前記下ルーバの端部に回動可能に連結された上送風ガイド板と、前記吹出口の前面側下縁に回動可能に連結された下送風ガイド板と、前記上送風ガイド板の自由端と前記下送風ガイド板の自由端とを回動自在に連結する連結軸とからなっている。
【発明の効果】
【０００６】
本発明の除湿機においては、吹出口室に左右の側壁に上下方向に回動可能に取り付けられた上ルーバと対向するように一体に設けられた下ルーバの室内側端部と前記吹出口の前面側下縁との間に設けられ、前記吹出口室に入った除湿風を上・下ルーバに案内する可動送風ガイドを設けたので、吹出口室に可動送風ガイドによって形成される風路に上・下ルーバ間の隙間以外に外部と連通する隙間がないため、上・下ルーバの目的の方向以外への送風の漏れが生じることはなく、被乾燥物をムラ無く短時間で乾燥することができ、省エネ化が図れるという効果がある。
また、吹出口室内に配設された風向き変更装置の上・下ルーバの先端は吹出口に臨んでおり、上・下ルーバの先端が上前向きと上後向きの場合には、下ルーバと吹出口室の前面下縁との間に両者に連結されている可動送風ガイドがあるため、指の挟み込みを生じさせることはないという効果がある。
【図面の簡単な説明】
【０００７】
【図１】本発明の実施の形態１の除湿機の外観を示す斜視図。
【図２】同除湿機を示す縦断面図。
【図３】同除湿機の風向機変更装置の縦断面図。
【図４】同除湿機の吹出口から吹き出す除湿風の各種向きを示す要部断面図。
【図５】本発明の実施の形態１の変形例の除湿機の吹出口から吹き出す除湿風の各種向きを示す要部断面図。
【図６】本発明の実施の形態２の除湿機の吹出口から吹き出す除湿風の各種向きを示す要部断面図。
【図７】本発明の実施の形態３の除湿機の吹出口から吹き出す除湿風の各種向きを示す要部断面図。
【図８】本発明の実施の形態４の除湿機の吹出口から吹き出す除湿風の各種向きを示す要部断面図。
【発明を実施するための形態】
【０００８】
実施の形態１．
図１は本発明の実施の形態１の除湿機の外観を示す斜視図、図２は同除湿機を示す縦断面図、図３は同除湿機の風向機変更装置の縦断面図、図４は同除湿機の吹出口から吹き出す除湿風の各種向きを示す要部断面図である。
図１及び図２に示すように、本発明の実施の形態１の除湿機の縦長で箱状の本体ケース１の前面側上部に吹出口２を有する吹出口室３が設けられ、本体ケース１の背面に吸込口４が形成され、本体ケース１内に吸込口４と吹出口２とに連通する送風路５が設けられている。この吹出口室３はルーバ保持用ケーシングで構成されている。
その送風路５内で本体ケース背面側に熱交換器６が設けられ、本体ケース前面側に送風モータ７によって駆動される送風ファン８が設けられている。
本体ケース１の背面側上部に操作部９が設けられ、本体ケース１の底部には貯水タンク１０が設けられている。吹出口室３には風向き変更装置１１が配設されている。
この除湿機は本体ケース１の吸込口４から吸い込んだ空気を熱交換器６で除湿し、この除湿した空気を本体ケース１の吹出口２から吹き出させるが、吹出口２から吹き出す除湿風の風向きを吹出口室３に配設された風向き変更装置１１で変更させる。
【０００９】
風向き変更装置１１は、上下方向に相対向する上ルーバ１２ａ及び下ルーバ１２ｂと、上ルーバ１２ａと下ルーバ１２ｂの左右両側をそれぞれ連結する連結板１３と、各連結板１３の上部に横に突出するように設けられ、吹出口室３の左右の側壁に上下方向に回動可能に軸支されたルーバ支持軸部１３ａと、一方のルーバ支持軸１３ａに取り付けられた伝達歯車１４と、伝達歯車１４に歯合するルーバ駆動歯車１９と、ルーバ駆動歯車１９を回転駆動する上下ルーバ駆動用モータ１８とを備えて構成されている。
さらに、風向き変更装置１１は、下ルーバ１２ａの室内側端部と吹出口２の前面側下縁との間に、これらの間を閉塞して吹出口室３内に入った除湿風を上・下ルーバ１２ａ、１２ｂに案内する折り畳み可能な可動送風ガイド１７が回動可能に設けられている。
【００１０】
即ち、折り畳み可能な可動送風ガイド１７は、下ルーバ１２ｂの室内側端部に取り付けられたガイド取付用回動軸１５ａに回動可能に連結された上送風ガイド板１７ａと、吹出口室３の吹出口２の前面側下縁に取り付けられたガイド取付用回動軸１５ｂに回動可能に連結された下送風ガイド板１７ｂと、上送風ガイド板１７ａと下送風ガイド板１７ｂとを回動自在に連結する連結軸１６とから構成されている。
そして、風向き変更装置１１の上下方向に回動する上ルーバ１２ａ及び下ルーバ１２ｂの先端が吹出口室３の吹出口２に臨むように配置させられている。
また、折り畳み可能な可動送風ガイド１６を構成する２枚の上送風ガイド板１７ａと下送風ガイド板１７ｂは、例えば、ＡＢＳ樹脂製であり、上・下ルーバ１２ａ、１２ｂの幅と同じ幅に形成されている。
【００１１】
また、下ルーバ１２ｂのガイド取付用回動軸１５ａと回動可能に軸支された可動送風ガイド１７の上送風ガイド板１７ａは吹出口室３の風路を拡げるように本体ケース前面に向けて突出するように湾曲させられている。
さらに、上ルーバ１２ａ及び下ルーバ１２ｂの間には、上ルーバ１２ａ及び下ルーバ１２ｂの中央部を除いて左右方向に間隔を置いて複数の左右フィン２０が左右方向に回転可能に取り付けられている。これら複数の左右フィン２０は室内側下端部が連動アーム２１で連結されている。
また、上ルーバ１２ａ及び下ルーバ１２ｂの中央部には赤外線センサ３４を内蔵した筒状のセンサ保持体３５が回転自在に取り付けられている。そのセンサ保持体３５の背面側に連動アーム２１の中央部が回動可能に連結されている。
従って、連動アーム２１が往復動すると、複数の左右フィン２０が揺動すると共にセンサ保持体３５も揺動することになる。
【００１２】
さらに、図３において、右端の左右フィン２０の室内側上端部に、往復動することによって当該左右フィン２０を揺動させる左右フィン駆動軸３１が連結されている。その左右フィン駆動軸３１における吹出口室３の側壁を貫通する一端の先端に、左右フィン駆動用モータ３２の回転運動を往復運動に変換する左右フィン駆動カム３３が連結されている。
従って、左右フィン駆動用モータ３２が回転すると、回転運動を往復運動に変換する左右フィン駆動カム３３が左右フィン駆動軸３１を往復動させ、左右フィン駆動軸３１に連結されている１つの左右フィン２０が揺動させられ、１つの左右フィン２０の揺動に伴い連動アーム２１を介して他の左右フィン２０が揺動させられることとなり、それに伴い赤外線センサ３４を内蔵した筒状のセンサ保持体３５も揺動することとなる。
【００１３】
この実施の形態１の除湿機は、操作部９の「運転」スイッチを押すと、送風モータ７が回転して送風ファン８が駆動されると共に圧縮機（図示省略）が駆動され、吸込口４から吸い込んだ空気を熱交換器６で除湿し、送風路５を通った除湿した空気を吹出口室３の吹出口２から吹き出させられる。
その吹出口室３には風向き変更装置１１が配設されており、吹出口２から吹き出す除湿風の風向きを風向き変更装置１１で変更させる。
【００１４】
風向き変更装置１１の風向きについて具体的に説明する。
通常は、操作部９の「運転」ボタンを押し、「自動運転」ボタンを押すと、制御部（図示省略）は自動運転モードに設定し、自動運転モードによる除湿乾燥を行う。
この自動運転モードは、上・下ルーバ１２ａ、１２ｂによる上下方向の揺動と、複数の左右フィン２０による左右方向の揺動を連続的に行いながら、赤外線センサ３４で例えば、洗濯物の温度を検出し、揺動幅を狭くして洗濯物の湿った部分に集中的に除湿して乾燥した空気を当てることができるので、早く、ムラのない除湿乾燥をする。
また、「手動運転」ボタンを押すと、制御部（図示省略）は赤外線センサ３４による検出を行わない手動運転モードに設定し、手動運転モードによる状況に応じてさらに細かな設定が可能になる。
【００１５】
即ち、手動運転では、上・下ルーバ１２ａ、１２ｂによる上下方向の揺動を行うモードと左右フィン２０による左右方向の揺動を行うモードとに設定することができる。
そこで、「上下スイング」ボタンを押すと、上下スイングの揺動モードとなり、上・下ルーバ１２ａ、１２ｂの先端から図４の（ａ）に示すように、前面下方に除湿風を吹き出させるようにした場合は布団や床面の除湿乾燥や靴等の乾燥を行う。
また、上・下ルーバ１２ａ、１２ｂの先端から図４の（ｂ）に示すように、前面上方に除湿風を吹き出させるようにした場合は部屋の除湿乾燥、洗濯物などの乾燥、天井の除湿乾燥を行う。
さらに、上・下ルーバ１２ａ、１２ｂの先端から図４の（ｃ）に示すように、背面上方に除湿風を吹き出させるようにした場合は洗濯物などの乾燥、天井の除湿乾燥を行う。
そして、その「上下スイング」ボタンを押すたびに、上下方向の揺動幅を狭くしたり、停止させることができる。
また、手動運転モードにおいて、「左右スイング」ボタンを押すと、左右スイングの揺動モードとなり、ボタンを押すたびに、左右方向の揺動幅を狭くしたり、停止させることができる。
【００１６】
この実施の形態１では、吹出口室３に左右の側壁に上下方向に回動可能に取り付けられた上ルーバ１２ａと対向するように一体に設けられた下ルーバ１２ｂの室内側端部に取り付けられたガイド取付用回動軸１５ａと、吹出口室３の左右の側壁の前面側に取り付けられたガイド取付用回動軸１５ｂとに、連結軸１６を介して互いに回動可能に連結された２枚の送風ガイド板１７ａ、１７ｂからなる折り畳み可能な可動送風ガイド１７の自由端部がそれぞれ回動可能に連結されているので、吹出口室３に入った除湿風が折り畳み可能な可動送風ガイド１７によって上・下ルーバ１２ａ、１２ｂ間に案内され、上・下ルーバ１２ａ、１２ｂ間の隙間以外に外部と連通する隙間がないため、上・下ルーバ１２ａ、１２ｂの目的の方向以外への送風の漏れが生じることはない。
また、吹出口室３内に配設された風向き変更装置１１の上・下ルーバ１２ａ、１２ｂの先端は吹出口２に臨んでおり、上・下ルーバ１２ａ、１２ｂの先端が上前向きと上後向きの場合には、下ルーバ１２ｂと吹出口室３の前面との間に両者に連結されている折り畳み可能な可動送風ガイド１７があるため、指の挟み込みを生じさせることはない。
【００１７】
また、折り畳み可能な可動送風ガイド１７を構成する２枚の送風ガイド板１７ａ、１７ｂのうち、下ルーバ１２ｂの室内側端部に取り付けられたガイド取付用回動軸１５ａに回動自在に連結される上送風ガイド板１７ａは、本体ケース前面に向けて突出するように湾曲させられているので、上ルーバ１２ａと下ルーバ１２ｂの先端が下前向き、上前向き又は上後向きのいずれの場合にも吹出口室３の風路を拡げて圧力損失を低く抑え、可動送風ガイド１７の強度を向上させる。
【００１８】
図５は本発明の実施の形態１の変形例の除湿機の吹出口から吹き出す除湿風の各種向き示す要部断面図である。
上記実施の形態１の折り畳み可能な可動送風ガイド１７が２枚のＡＢＳ樹脂製の上・下送風ガイド板１７ａ、１７ｂを連結軸１６を介して互いに回動可能に連結されているものであるが、この実施の形態１の変形例は、可動送風ガイド２３はエラストマーなどの適度の硬度を有した弾性部材で形成され、実施の形態１の連結軸１６の中央部分に相当する部分２３ａを薄肉として回動可能に形成したものである。
そして、可動送風ガイド２３の一方の端部を下ルーバ１２ｂの室内側端部に取り付けられたガイド取付用回動軸１５ａに回動自在に連結すると共に、可動送風ガイド２３の一方の端部を吹出口室３の左右の側壁の前面側に取り付けられたガイド取付用回動軸１５ｂに回動自在に連結している。
このように、この実施の形態１の変形例では、可動送風ガイド２７の部品点数は１つであり、実施の形態１の可動送風ガイド１７に比べて構成が簡単で安価に製作することができる。
【００１９】
実施の形態２．
図６は本発明の実施の形態２の除湿機の吹出口から吹き出す除湿風の各種向きを示す要部断面図である。
この実施の形態２において、実施の形態１と同様の構成は同一符号を付して重複した構成の説明を省略する。
上記実施の形態１の折り畳み可能な可動送風ガイド１７が２枚のＡＢＳ樹脂製の上・下送風ガイド板１７ａ、１７ｂを連結軸１６を介して互いに回動可能に連結されているものであるが、この実施の形態２は、可動送風ガイド２４を下ルーバ１２ｂの室内側端部に取り付けられたガイド取付用回動軸１５ａに一端が回動自在に連結された一本の金属製の棒状部材２４ａと、吹出口室３の側壁前面側に設けられた上下方向に伸びる長孔２４ｂと、その長孔２４ｂに回転可能且つ摺動可能に係合され、棒状部材２４ａの他端に横方向に突出するように設けた連結ピン２４ｃとで構成されている点で実施の形態１と構成が異なる。
【００２０】
この実施の形態２では、棒状部材２４ａの一端を下ルーバ１２ｂの室内側端部に取り付けられたガイド取付用回動軸１５ａに回動自在に連結すると共に棒状部材２４ａの他端に横方向に突出するように設けた連結ピン２４ｃを吹出口室３の側壁前面側に設けた上下方向に伸びる長孔２４ｂに回転可能且つ摺動可能に係合させたものである。
そして、図６の（ａ）に示すように上ルーバ１２ａと下ルーバ１２ｂの先端が下前向きの場合には棒状部材２４ａの一端に設けた連結ピン２４ｃが吹出口室３の前面に設けた長孔２４ｂの下部に位置し、図６の（ｂ）に示すように上ルーバ１２ａと下ルーバ１２ｂの先端が上前向きの場合には棒状部材２４ａの一端に設けた連結ピン２４ｃが吹出口室３の側壁前面側に設けた長孔２４ｂの下部より少し上方に位置すると共に棒状部材２４ａが長孔２４ｂと平行になり、図４の（ｃ）に示すように上ルーバ１２ａと下ルーバ１２ｂの先端が上後向きの場合には棒状部材２４ａの一端に設けた連結ピン２４ｃが吹出口室３の側壁前面側に設けた長孔２４ｂの上部に位置することとなる。
このように、この実施の形態２では、可動送風ガイド２４が、主として一本の金属製の棒状部材２４ａと吹出口室３の側壁前面側に設けた上下方向に伸びる長孔２４ｂとで構成され、主たる部品点数が２つであり、実施の形態１の可動送風ガイド１７に比べて構成が簡単で安価に製作することができる。
【００２１】
実施の形態３．
図７は本発明の実施の形態３の除湿機の吹出口から吹き出す除湿風の各種向きを示す要部断面図である。
この実施の形態３では上ルーバ１２ａと下ルーバ１２ｂとの間に仕切ルーバ１２ｃが取り付けられている点が実施の形態１と相違するが、連結軸１６を介して互いに回動可能に連結された２枚の送風ガイド板１７ａ、１７ｂからなる折り畳み可能な可動送風ガイド１７の自由端部がそれぞれ下ルーバ１２ｂの室内側端部に取り付けられたガイド取付用回動軸１５ａと、吹出口室３の左右の側壁の前面側に取り付けられたガイド取付用回動軸１５ｂとに回動可能に連結されている構成は、実施の形態１と同じ構成である。
【００２２】
この実施の形態３で、実施の形態１と大きく相違する構成は、吹出口室３の側壁の上側に、３つの円弧状の送風ガイド板２７ａ〜２７ｃをスライド自在に重ね合わせて設けて構成された上可動送風ガイド２７が設けられていることである。
また、上可動送風ガイド２７の３つの円弧状の送風ガイド板２７ａ〜２７ｃのうち、一番下の送風ガイド板２７ａと上ルーバ１２ａが一体とされ、その送風ガイド板２７ａの動きに合わせて真中と上の送風ガイド板２７ｂ、２７ｃが拡がって並んだり、重ね合わされたりするようにスライド自在に連動するように形成されている。
この上可動送風ガイド２７は上ルーバ１２ａの上方で吹出口２を覆うように取り付けられており、図７の（ａ）に示すように上ルーバ１２ａと下ルーバ１２ｂの先端が下前向きの場合には３つの円弧状の送風ガイド板２７ａ〜２７ｃが重ならないよう拡がった状態にスライドさせられ、図７の（ｂ）に示すように上ルーバ１２ａと下ルーバ１２ｂの先端が上前向きの場合には３つの円弧状の送風ガイド板２７ａ〜２７ｃが半分ずつ重なった状態にスライドさせられ、図７の（ｃ）に示すように上ルーバ１２ａと下ルーバ１２ｂの先端が上後向きの場合には３つの円弧状の送風ガイド板２７ａ〜２７ｃが全て重なった状態にスライドさせられ、上ルーバ１２ａと下ルーバ１２ｂの先端がいずれの向きの場合にも、上ルーバ１２ａが常に目に見えないようにして見栄えを良くしている。
【００２３】
実施の形態４．
図８は本発明の実施の形態４の除湿機の吹出口から吹き出す除湿風の各種向きを示す要部断面図である。
この実施の形態４において、実施の形態１と同様の構成は同一符号を付して重複した構成の説明を省略する。
また、この実施の形態４は、実施の形態１と同様に、連結軸１６を介して互いに回動可能に連結された２枚の上側・下側の送風ガイド板１７ａ、１７ｂからなる折り畳み可能な下可動送風ガイド１７の自由端部がそれぞれ下ルーバ１２ｂの室内側端部に取り付けられたガイド取付用回動軸１５ａと、吹出口室３の左右の側壁の前面側に取り付けられたガイド取付用回動軸１５ｂとに回動可能に連結されている構成は、実施の形態１と実質的に同じ構成である。
【００２４】
この実施の形態４は、連結軸１６を介して互いに回動可能に連結された２枚の上側・下側の送風ガイド板３７ａ、３７ｂからなる折り畳み可能な上可動送風ガイド３７の自由端部がそれぞれ上ルーバ１２ｂの室内側端部に取り付けられたガイド取付用回動軸３４と、吹出口室３の左右の側壁の後面側に取り付けられたガイド取付用回動軸３５とに回動可能に連結されているものである。
また、上レバー１２ａに連結される折り畳み可能な上可動送風ガイド３７の１枚の上側の送風ガイド板３７ａにはピン（図示省略）が横方向に突設され、そのピンが吹出口室３の左右の側壁の後面側に形成された動き規制溝３８に嵌め込まれ、折り畳み可能な可動送風ガイド３７の連結軸１６が吹出口２から飛び出さないようにし見栄えを良くしている。
【００２５】
この実施の形態４は、上ルーバ１２ａと下ルーバ１２ｂの左右両側をそれぞれ連結する連結板１３にルーバ支持軸部１３ａが取り付けられ、そのルーバ支持軸部１３ａが吹出口室３の左右の側壁に上下方向に回動可能に軸支させ、下ルーバ１２ｂに折り畳み可能な下可動送風ガイド１７を取り付けるだけでなく、上ルーバ１２ａにも折り畳み可能な上可動送風ガイド３７を取り付けるようにして上ルーバ１２ａと下ルーバ１２ｂの回動を分担して行うようにしているので、無理な力が上・下ルーバ１２ａ、１２ｂに働くことがなく、耐久性が向上するものとなった。
【符号の説明】
【００２６】
１  本体ケース、２  吹出口、３  吹出口室、４  吸込口、５  送風路、６  熱交換器、７  送風モータ、８  送風ファン、９  操作部、１０  貯水タンク、１１  風向き変更装置、１２ａ  上ルーバ、１２ｂ  下ルーバ、１２ｃ  仕切ルーバ、１３  連結板、１３ａ  ルーバ支持軸部、１４  伝達歯車、１５ａ  ガイド取付用回動軸、１５ｂ  ガイド取付用回動軸、１６  連結軸、１７ａ  上送風ガイド板、１７ｂ  下送風ガイド板、１７  可動送風ガイド、１８  上下ルーバ駆動用モータ、２０  左右フィン、２１  連動アーム、２３  可動送風ガイド、２３ａ  中央部、２４  可動送風ガイド、２４ａ  棒状部材、２４ｂ  長孔、２４ｃ  連結ピン、２５  ガイド取付用回動軸、２６  ガイド取付用回動軸、２７  可動送風ガイド、２７ａ〜２７ｃ  送風ガイド板、３１  左右フィン駆動軸、３２  左右フィン駆動用モータ、３３  左右フィン駆動カム、３４  赤外線センサ、３５  センサ保持体、３７  可動送風ガイド、３７ａ  上送風ガイド板、３７ｂ  下送風ガイド板。
【図１】
0005489756.tif 000002
【図２】
0005489756.tif 000003
【図３】
0005489756.tif 000004
【図４】
0005489756.tif 000005
【図５】
0005489756.tif 000006
【図６】
0005489756.tif 000007
【図７】
0005489756.tif 000008
【図８】
0005489756.tif 000009